(57)【要約】【課題】広帯域にわたりアンテナ特性を確保することが可能なアンテナ装置及び該アンテナ装置を用いた携帯無線機を提供する。【解決手段】本発明のアンテナ装置１は、ＨＩ−Ｂａｎｄ用アンテナエレメント３と、ＨＩ−Ｂａｎｄ用アンテナエレメント３に電気的に接続されたＨＩ−Ｂａｎｄ用給電点４ａと、ＬＯＷ−Ｂａｎｄ用アンテナエレメント２と、ＬＯＷ−Ｂａｎｄ用アンテナエレメント２に電気的に接続されたＬＯＷ−Ｂａｎｄ用給電点４ｂとを有するアンテナ基板２０を備えている。ＨＩ−Ｂａｎｄ用給電点４ａはアンテナ基板２０の第１の側部２０ａ側に配置され、ＬＯＷ−Ｂａｎｄ用給電点４ｂは第１の側部２０ａとは反対側の第２の側部２０ｂ側に配置されている。【選択図】図１
2008167098.tif 000002
【特許請求の範囲】
【請求項１】
第１の周波数帯域に対応する第１のアンテナエレメントと、前記第１のアンテナエレメントに電気的に接続された第１の給電点と、前記第１の周波数帯域よりも低い周波数帯域である第２の周波数帯域に対応する第２のアンテナエレメントと、前記第２のアンテナエレメントに電気的に接続された第２の給電点とを有する基板を備えたアンテナ装置において、
前記第１の給電点が前記基板の第１の側部側に配置され、前記第２の給電点が前記基板の第１の側部側とは反対側の第２の側部側に配置されていることを特徴とするアンテナ装置。
【請求項２】
前記第１のアンテナエレメント及び前記第２のアンテナエレメントが前記第１の給電点と前記第２の給電点との間に配置されている、請求項１に記載のアンテナ装置。
【請求項３】
前記第１のアンテナエレメントと前記第２のアンテナエレメントとは、前記第１のアンテナエレメントの開放側と前記第２のアンテナエレメントの開放側とが、前記第１の給電点及び前記第２の給電点が配列された方向に間隔を空けて配置されている、請求項２に記載のアンテナ装置。
【請求項４】
請求項１ないし３のいずれか１項に記載のアンテナ装置を備えた携帯無線機。
【請求項５】
前記第１のアンテナエレメントの整合回路である第１の整合回路と、前記第２のアンテナエレメントの整合回路である第２の整合回路とを有し、前記第１の整合回路は前記携帯無線機に搭載された前記基板の前記第１の給電点に隣接して配置され、前記第２の整合回路は前記携帯無線機に搭載された前記基板の前記第２の給電点に隣接して配置されている、請求項４に記載の携帯無線機。
【請求項６】
画像表示部及び第１のプリント基板を有する第１の筐体と、マイク及び第２のプリント基板を有する第２の筐体と、前記第１のプリント基板と前記第２のプリント基板とを電気的に接続する接続基板と、前記第１の筐体と前記第２の筐体とを回動可能に連結するヒンジ部と、前記アンテナ装置の前記第１の給電点及び前記第２の給電点のそれぞれを前記第２のプリント基板に電気的に接続する第１の接合部材及び第２の接合部材とを有し、前記接続基板が前記第１の接合部材及び第２の接合部材の間を通るように配置されている、請求項４または５に記載の携帯無線機。
【請求項７】
前記アンテナ装置が前記第２の筐体内の、前記ヒンジが設けられた側に配置されている請求項６に記載の携帯無線機。
【請求項８】
前記アンテナ装置が前記第２の筐体内の、前記ヒンジが設けられた側とは反対側の前記マイクが設けられた側に配置されている請求項６に記載の携帯無線機。
【請求項９】
画像表示部及び第１のプリント基板を有する第１の筐体と、マイク及び第２のプリント基板を有する第２の筐体と、前記第１のプリント基板と前記第２のプリント基板とを電気的に接続する接続基板と、前記第１の筐体と前記第２の筐体とを回動可能に連結するヒンジ部と、前記アンテナ装置の前記第１の給電点及び前記第２の給電点のそれぞれを前記第１のプリント基板に電気的に接続する第１の接合部材及び第２の接合部材とを有し、前記接続基板が前記第１の接合部材及び第２の接合部材の間を通るように配置されている、請求項４または５に記載の携帯無線機。
【請求項１０】
前記アンテナ装置が前記第１の筐体内の、前記ヒンジが設けられた側に配置されている請求項９に記載の携帯無線機。
【発明の詳細な説明】
【技術分野】
【０００１】
本願発明は、アンテナ装置及び該アンテナ装置を用いた携帯無線機に関する。
【背景技術】
【０００２】
近年の携帯電話機は、様々な周波数帯で通信できることを求められている。このような状況においても、携帯電話機の小型、薄型化を求められるため、複数のアンテナを実装するスペースを確保することは困難である。このため、１つのアンテナで複数の周波数帯に対応したアンテナが求められている。
【０００３】
複数の周波数帯に対応したアンテナの一例として、離れた２つの周波数帯のエレメントを組み合わせることで２周波化する方法がある。図８は、ＷＣＤＭＡ方式のＢａｎｄＩ（１９２０ＭＨｚ〜２１７０ＭＨｚ）とＢａｎｄＶＩ（８３０ＭＨｚ〜８８５ＭＨｚ）に対応した従来の２周波アンテナの一例の構成を示している。図８に示すアンテナ装置１０１は、ＨＩ−Ｂａｎｄ用アンテナエレメント１０３及びＬＯＷ−Ｂａｎｄ用アンテナエレメント１０２を１つの給電点１０４に接続し、２周波化を実現している。また、図９に、従来技術によるアンテナを、折り畳み型携帯電話機の下部筐体ヒンジ部に実装したときのアンテナインピーダンスを示す。図９はスミス図であり、図中のインピーダンス軌跡は７００ＭＨｚから２３００ＭＨｚまでを示しており、○印で示した範囲がＬＯＷ−Ｂａｎｄ（８２４ＭＨｚ〜９６０ＭＨｚ）、◇印で示した範囲がＨＩ−Ｂａｎｄ（１７１０ＭＨｚ〜２１７０ＭＨｚ）を示している。このように、１つの給電点から２つのアンテナエレメントを出すことで、２周波アンテナを構成できていることがわかる。
【０００４】
一方、特許文献１には２つの独立した給電点及び独立した整合回路を有する無線装置が開示されている。
【特許文献１】特開２００５−２４４５５３号公報
【発明の開示】
【発明が解決しようとする課題】
【０００５】
ＷＣＤＭＡ方式とＧＳＭ方式の双方に対応するアンテナとする場合、ＬＯＷ−Ｂａｎｄでは８２４ＭＨｚ〜９６０ＭＨｚまでの帯域を確保し、ＨＩ−Ｂａｎｄでは１７１０ＭＨｚ〜２１７０ＭＨｚまでの帯域を確保しなければならない。
【０００６】
ところで、無線回路とアンテナを組み合わせたときの反射による損失を防ぐために、無線回路とアンテナの間にインダクタンスやコンデンサを組み合わせたインピーダンス整合回路を配置し、整合をとる必要がある。インピーダンス整合回路内に配置したインダクタンスやコンデンサを調整し、無線回路との整合を取っている。
【０００７】
従来の技術によるアンテナを、折り畳み型携帯電話機の下部筐体ヒンジ部に実装し、インピーダンス整合回路を用いて整合をとった後のアンテナインピーダンスの一例のスミス図を図１０に示す。なお、スミス図の中心から破線で描いた円はＶＳＷＲ（電圧定在波比）一定の円であり、この円の内側の部分がアンテナの整合がとれている範囲である。図１０に示すように、対応する帯域が広いため、ＬＯＷ−Ｂａｎｄ、ＨＩ−Ｂａｎｄともに整合をとることができていない。つまり、図１０は、従来の１給電による２周波アンテナ構成では、ＬＯＷ−ＢａｎｄとＨＩ−Ｂａｎｄのアンテナが繋がっているため、互いにインピーダンスに影響を与えてしまい、広帯域にわたりアンテナ特性を確保するのは困難である、ということを示している。
【０００８】
また、周波数ごとにインピーダンスの動く量に違いがあるため、ＬＯＷ−ＢａｎｄとＨＩ−Ｂａｎｄを同時に意図した位置にインピーダンスを合わせることは困難である。そこで、ＰＩＮダイオード等のスイッチ機能を用いて、帯域ごとにインピーダンス整合回路を切り替え、整合を取る方法がある。しかしながら、スイッチを用いて整合回路の切り替えを行った場合、スイッチの抵抗成分などにより、インピーダンス整合回路内での損失が増えてしまうため、アンテナ特性が劣化してしまうという問題が発生する。
【０００９】
また、特許文献１に開示された構成は、２つの独立した給電点及び独立した整合回路を有するものの、各給電点及び各整合回路は互いに近接して配置されている。このため、やはり、各給電点及び各整合回路は、互いのインピーダンスに影響を与え、広帯域にわたりアンテナ特性を確保することが困難な構成であるといえる。
【００１０】
そこで本発明は、広帯域にわたりアンテナ特性を確保することが可能なアンテナ装置及び該アンテナ装置を用いた携帯無線機を提供することを目的とする。
【課題を解決するための手段】
【００１１】
上記目的を達成するため、本発明のアンテナ装置は、第１の周波数帯域に対応する第１のアンテナエレメントと、第１のアンテナエレメントに電気的に接続された第１の給電点と、第１の周波数帯域よりも低い周波数帯域である第２の周波数帯域に対応する第２のアンテナエレメントと、第２のアンテナエレメントに電気的に接続された第２の給電点とを有する基板を備えたアンテナ装置において、第１の給電点が基板の第１の側部側に配置され、第２の給電点が基板の第１の側部側とは反対側の第２の側部側に配置されていることを特徴とする。
【００１２】
上記のとおり本発明のアンテナ装置は、第１の給電点と第２の給電点が互いに距離を空けるようにして基板に配置されている。このため、給電点どうしが互いのインピーダンスに影響を与えるのを防止でき、よって、本発明のアンテナ装置によれば、広帯域にわたり所定の特性を確保することができる。また、給電点が各周波数帯域ごとに設けられているため、従来の１給電によるアンテナと比較し、インピーダンス整合の調整も容易に行うことができる。
【００１３】
また、本発明のアンテナ装置は、第１のアンテナエレメント及び第２のアンテナエレメントが第１の給電点と第２の給電点との間に配置されているものであってもよい。この構成とすることで、基板の実装領域を有効活用することができ、アンテナ装置の小型化を図ることができる。
【００１４】
また、本発明のアンテナ装置は、第１のアンテナエレメントと第２のアンテナエレメントとは、第１のアンテナエレメントの開放側と第２のアンテナエレメントの開放側とが、第１の給電点及び第２の給電点が配列された方向に間隔を空けて配置されているものであってもよい。
【００１５】
本発明の携帯無線機は、本発明のアンテナ装置を備えたものである。
【００１６】
また、本発明の携帯無線機は、第１のアンテナエレメントの整合回路である第１の整合回路と、第２のアンテナエレメントの整合回路である第２の整合回路とを有し、第１の整合回路は携帯無線機に搭載された基板の第１の給電点に隣接して配置され、第２の整合回路は携帯無線機に搭載された基板の第２の給電点に隣接して配置されているものであってもよい。この構成とすることで、給電点どうしの互いのインピーダンスの影響のみならず、整合回路どうしの互いのインピーダンスの影響も抑制することができる。
【００１７】
また、本発明の携帯無線機は、画像表示部及び第１のプリント基板を有する第１の筐体と、マイク及び第２のプリント基板を有する第２の筐体と、第１のプリント基板と第２のプリント基板とを電気的に接続する接続基板と、第１の筐体と第２の筐体とを回動可能に連結するヒンジ部と、アンテナ装置の第１の給電点及び第２の給電点のそれぞれを第２のプリント基板に電気的に接続する第１の接合部材及び第２の接合部材とを有し、接続基板が第１の接合部材及び第２の接合部材の間を通るように配置されているものであってもよい。この場合、第１の接合部材及び第２の接合部材に生まれた空間を有効活用することができる。
また、本発明の携帯無線機は、アンテナ装置が第２の筐体内の、ヒンジが設けられた側に配置されているものであってもよいし、あるいは、アンテナ装置が第２の筐体内の、ヒンジが設けられた側とは反対側のマイクが設けられた側に配置されているものであってもよい。
【００１８】
また、本発明の携帯無線機は、画像表示部及び第１のプリント基板を有する第１の筐体と、マイク及び第２のプリント基板を有する第２の筐体と、第１のプリント基板と第２のプリント基板とを電気的に接続する接続基板と、第１の筐体と第２の筐体とを回動可能に連結するヒンジ部と、アンテナ装置の第１の給電点及び第２の給電点のそれぞれを第１のプリント基板に電気的に接続する第１の接合部材及び第２の接合部材とを有し、接続基板が第１の接合部材及び第２の接合部材の間を通るように配置されているものであってもよい。
【００１９】
また、本発明の携帯無線機は、アンテナ装置が第１の筐体内の、ヒンジが設けられた側に配置されているものであってもよい。
【発明の効果】
【００２０】
本発明によれば、第１の給電点と第２の給電点とを互いに距離を空けるようにして基板に配置している。このため、給電点どうしが互いのインピーダンスに影響を与えるのを防止しつつ、広帯域にわたり所定の特性を確保することができる。
【発明を実施するための最良の形態】
【００２１】
以下、図面を参照して本発明の実施形態について説明する。
【００２２】
図１は、本発明のアンテナ装置の構成例を示す図である。
【００２３】
アンテナ装置１は、１つのアンテナ基板２０内にＬＯＷ−Ｂａｎｄ用アンテナエレメント２と、ＨＩ−Ｂａｎｄ用アンテナエレメント３とを独立して有する。また、アンテナ装置１には、ＬＯＷ−Ｂａｎｄ用アンテナエレメント２と、ＨＩ−Ｂａｎｄ用アンテナエレメント３のそれぞれに電力を供給するＨＩ−Ｂａｎｄ用給電点４ａとＬＯＷ−Ｂａｎｄ用給電点４ｂが独立し、かつ互いに離れた位置に設けられている。ＷＣＤＭＡ方式とＧＳＭ方式の双方に対応するアンテナとするため、ＬＯＷ−Ｂａｎｄ用アンテナエレメント２は８２４ＭＨｚ〜９６０ＭＨｚまでの帯域に対応し、ＨＩ−Ｂａｎｄ用アンテナエレメント３は、１７１０ＭＨｚ〜２１７０ＭＨｚまでの帯域に対応するように設定されている。
【００２４】
ＨＩ−Ｂａｎｄ用給電点４ａはアンテナ基板２０の第１の側部２０ａ側であって角部２１ａの近傍に設けられている。図１では、ＨＩ−Ｂａｎｄ用給電点４ａは、アンテナ基板２０の左下に配置されている。一方、ＬＯＷ−Ｂａｎｄ用給電点４ｂは、アンテナ基板２０の第２の側部２０ｂ側であって角部２１ｂの近傍に設けられている。図１では、ＬＯＷ−Ｂａｎｄ用給電点４ｂは、アンテナ基板２０の右下に配置されている。すわなち、このような配置は、電流が多く流れるＨＩ−Ｂａｎｄ用給電点４ａ及びＬＯＷ−Ｂａｎｄ用給電点４ｂをアンテナ基板２０内にて互いに距離を空けることで、互いのインピーダンスに影響を与えてしまうのを防止するようにしたものである。なお、さらに両者の間の距離を離すため、ＨＩ−Ｂａｎｄ用給電点４ａとＬＯＷ−Ｂａｎｄ用給電点４ｂとをアンテナ基板２０の対角に配置してもよい。例えば、ＨＩ−Ｂａｎｄ用給電点４ａを角部２１ａに配置し、ＬＯＷ−Ｂａｎｄ用給電点４ｂを角部２１ｃに配置する、あるいは、ＨＩ−Ｂａｎｄ用給電点４ａを角部２１ｄに配置し、ＬＯＷ−Ｂａｎｄ用給電点４ｂを角部２１ｂに配置するものであってもよい。
【００２５】
このように、本実施形態のアンテナ装置１は、ＨＩ−Ｂａｎｄ用給電点４ａ及びＬＯＷ−Ｂａｎｄ用給電点４ｂをアンテナ基板２０の両側部２０ａ、２０ｂ側に配置し、これら各給電点４ａ、４ｂの間にＨＩ−Ｂａｎｄ用アンテナエレメント３とＬＯＷ−Ｂａｎｄ用アンテナエレメント２とを配置している。より具体的には、ＨＩ−Ｂａｎｄ用アンテナエレメント３及びＬＯＷ−Ｂａｎｄ用アンテナエレメント２は各給電点４ａ、４ｂからアンテナ基板２０の内側に向かうようにして延びて配置されている。すわなち、ＨＩ−Ｂａｎｄ用アンテナエレメント３は、根元部３ｂでＨＩ−Ｂａｎｄ用給電点４ａの辺４ａ１に電気的に接続され、角部２１ｄに向けて延び、そこから開放側２ａがアンテナ基板２０の内側に向くようにレイアウトされている。また、ＬＯＷ−Ｂａｎｄ用アンテナエレメント２は、根元部２ｂでＬＯＷ−Ｂａｎｄ用給電点４ｂの辺４ｂ１に電気的に接続され、角部２１ｃに向けて延び、そこから矩形波形状を描きながら延び、開放側２ａがアンテナ基板２０の内側に向くようにレイアウトされている。
【００２６】
以上のように、各給電点４ａ、４ｂの間にアンテナエレメント２、３を配置することでアンテナ基板２０の基板の実装領域を有効活用することができ、アンテナ基板２０を小型化することができる。
【００２７】
なお、図１では、ＨＩ−Ｂａｎｄ用給電点４ａ及びＨＩ−Ｂａｎｄ用アンテナエレメント３が左側に配置され、ＬＯＷ−Ｂａｎｄ用給電点４ｂ及びＬＯＷ−Ｂａｎｄ用アンテナエレメント２がアンテナ基板２０の右側に配置されているが、両者が左右逆に配置されているものであってもよい。
【００２８】
本発明は、上述したように多くの電流が流れる給電点４ａ、４ｂをできるだけ離して配置することで互いのインピーダンスに影響を及ぼすのを防止するものである。ここで、図１では、ＨＩ−Ｂａｎｄ用アンテナエレメント３の開放側３ａとＬＯＷ−Ｂａｎｄ用アンテナエレメント２の開放側２ａとが水平方向において若干重なり合うような位置に配置されている。これは、アンテナ基板２０の大きさをできるだけ小さく、かつ、給電点４ａ、４ｂをできるだけ離すことができる配置の例を示したものである。よって、アンテナ基板２０を大きくすることが許容される場合は、開放側２ａ、３ａが水平方向に全く重なり合わない構成としてもよいことは言うまでもない。換言すれば、ＨＩ−Ｂａｎｄ用アンテナエレメント３とＬＯＷ−Ｂａｎｄ用アンテナエレメント２とは、開放側３ａと開放側２ａとが、ＨＩ−Ｂａｎｄ用給電点４ａとＬＯＷ−Ｂａｎｄ用給電点４ｂとが配列された方向（図１中ｘ方向）に間隔を空けて配置されているものであってもよい。
【００２９】
また、図１では、ＨＩ−Ｂａｎｄ用アンテナエレメント３はＨＩ−Ｂａｎｄ用給電点４ａの辺４ａ１から延出しており、ＬＯＷ−Ｂａｎｄ用アンテナエレメント２はＬＯＷ−Ｂａｎｄ用給電点４ｂの辺４ｂ１から延出することで、各給電点４ａ、４ｂの間に配置された例が示されているが、本発明はこれに限定されるものではない。例えば、ＨＩ−Ｂａｎｄ用アンテナエレメント３をＨＩ−Ｂａｎｄ用給電点４ａの辺４ａ２から延出させ、ＬＯＷ−Ｂａｎｄ用アンテナエレメント２をＬＯＷ−Ｂａｎｄ用給電点４ｂの辺４ｂ２から延出させるものであってもよい。つまり、各給電点４ａ、４ｂをできるだけ離しつつ、その間のスペースを有効活用できるような構成であれば、どのような構成であってもよい。
【００３０】
次に、図２に本実施形態のアンテナ装置１を有する折り畳み型携帯無線機の側断面図を示す。
【００３１】
図２に示す折り畳み型携帯無線機はヒンジ部７により上部筐体５と下部筐体６とが回動可能に連結されている。上部筐体５には、上部プリント基板９や表示部１０などが収納されている。下部筐体６内には、本実施形態のアンテナ装置１、下部プリント基板１１、電池１２及びマイク１４などが収納されている。上部プリント基板９と下部プリント基板１１とはフレキシブル基板からなる上下基板接続部８によって電気的に接続されている。アンテナ装置１は下部筐体６内であってヒンジ部７の近傍に配置されている。
【００３２】
図３は、アンテナ装置周囲の構成を示した図である。図３（ａ）はアンテナ装置１の周辺部を含む上面図であり、図３（ｂ）はアンテナ装置１の断面図である。
【００３３】
図３（ａ）に示すように、ＨＩ−Ｂａｎｄ用給電点４ａにはアンテナ整合回路２１ａが接続されている。また、ＬＯＷ−Ｂａｎｄ用給電点４ｂにはアンテナ整合回路２１ｂが接続されている。また、これらアンテナ整合回路２１ａ及びアンテナ整合回路２１ｂは、下部プリント基板１１に電気的に接続されている。アンテナ整合回路２１ａ、２１ｂは無線回路とアンテナを組み合わせたときの反射による損失を防ぐためのインダクタンスやコンデンサを組み合わせたインピーダンス整合回路である。アンテナ整合回路２１ａ、２１ｂは、その内部に設けられたインダクタンスやコンデンサを調整することで、無線回路とアンテナとのインピーダンスの整合をとっている。
【００３４】
このような機能を有するアンテナ整合回路２１ａ、２１ｂも互いに近接して配置すると互いのインピーダンスに影響を与えてしまう。よって、本実施形態ではそれぞれ互いに離れるように、アンテナ基板２０が折り畳み型携帯無線機に搭載された状態で、アンテナ整合回路２１ａはＨＩ−Ｂａｎｄ用給電点４ａに隣接して設けられ、アンテナ整合回路２１ｂはＬＯＷ−Ｂａｎｄ用給電点４ｂに隣接して設けられている。
【００３５】
また、図３（ｂ）に示すように、各給電点４ａ、４ｂは、アンテナ給電端子１３によって下部プリント基板１１に電気的に接続されている。本実施形態のアンテナ装置１は各給電点４ａ、４ｂ、各アンテナ整合回路２１ａ、２１ｂ及び各アンテナ給電端子１３がアンテナ基板２０の両側部側に配置されているので、これらの間には空間が生まれる。そこで、本実施形態では、この空間に上下基板接続部８を通すことで空間の有効活用を図っている。そして、この空間の有効活用により、折り畳み型携帯電話機を小型化することができる。
【００３６】
図４は本実施形態の折り畳み型携帯電話機のアンテナインピーダンスを示したスミス図である。図中のインピーダンス軌跡は７００ＭＨｚから２３００ＭＨｚまでの計算値であり、○印で示した範囲がＬＯＷ−Ｂａｎｄ（８２４ＭＨｚ〜９６０ＭＨｚ）、◇印で示した範囲がＨＩ−Ｂａｎｄ（１７１０ＭＨｚ〜２１７０ＭＨｚ）を示している。図４（ａ）は、ＬＯＷ−Ｂａｎｄのインピーダンスを示しており、図４（ｂ）は、ＨＩ−Ｂａｎｄのインピーダンスを示している。
【００３７】
図５は、アンテナ整合回路２１ａ、２１ｂを用いてインピーダンスの整合をとった後のアンテナインピーダンスを示すスミス図である。なお、スミス図の中心部分に破線で描かれた円はＶＳＷＲ（電圧定在波比）一定の円であり、この円の内側の部分がアンテナと回路とのインピーダンスの整合がとれている範囲である。図５（ａ）は、ＬＯＷ−Ｂａｎｄの整合後のインピーダンスを示しており、図５（ｂ）は、ＨＩ−Ｂａｎｄの整合後のインピーダンスを示している。図１０と比較すると、ＬＯＷ−Ｂａｎｄ、ＨＩ−Ｂａｎｄともに、本実施形態のアンテナ装置１では、○印及び◇印の部分はＶＳＷＲ一定の円に内側に入っており、広帯域にわたり、アンテナの整合が取れていることがわかる。これは、本実施形態が、ＬＯＷ−ＢａｎｄとＨＩ−Ｂａｎｄでインピーダンスを個別に整合させることができるアンテナ整合回路２１ａ、２１ｂを距離を空けて配置したことによる効果である。
【００３８】
以上、本実施形態によれば、１つのアンテナ基板２０の中に、ＬＯＷ−Ｂａｎｄ用アンテナエレメント２とＨＩ−Ｂａｎｄ用アンテナエレメント３を左右に配置し、かつ、２つのＨＩ−Ｂａｎｄ用給電点４ａ及びＬＯＷ−Ｂａｎｄ用給電点４ｂを設け、さらにこれら給電点４ａ、４ｂを離して配置している。これにより、アンテナ基板２０の実装領域を有効に活用することができるとともに、給電点どうしが互いのインピーダンスに影響を与えるのを防止できる。よって、本実施形態のアンテナ装置によれば、広帯域にわたり所定の特性を確保することができるアンテナ装置を構成することができる。さらには、本実施形態は、互いに独立した給電点４ａ、４ｂのそれぞれのインピーダンスの整合をアンテナ整合回路２１ａ、２１ｂによってとるため、従来の１給電によるアンテナと比較し、インピーダンス整合の調整も容易に行うことができる。
【００３９】
なお、折り畳み型携帯無線機におけるアンテナ装置１は、図６に示すように、上部筐体５内であってヒンジ部７近傍に配置されているものであってもよいし、図７に示すように、下部筐体６内であって、ヒンジ部７に対して反対側に設けられたマイク１４の近傍に配置されているものであってもよい。なお、図６に示す構成の場合、アンテナ整合回路２１ａ及びアンテナ整合回路２１ｂは、上部プリント基板９に接続されている。
【図面の簡単な説明】
【００４０】
【図１】本発明のアンテナ装置の構成の一例を示す図である。
【図２】本発明のアンテナ装置を搭載した折り畳み型携帯電話機の一例の側断面図である。
【図３】本発明のアンテナ装置周囲の構成を示した図であり、図３（ａ）はアンテナ装置の周辺部を含む上面図であり、図３（ｂ）はアンテナ装置の断面図である。
【図４】本発明のアンテナ装置のインピーダンスを示すスミス図の一例であり、図４（ａ）はＬＯＷ−Ｂａｎｄ、図４（ｂ）はＨＩ−Ｂａｎｄについてのものである。
【図５】本発明のアンテナ装置における、インピーダンスの整合をとった後のスミス図の一例であり、図５（ａ）はＬＯＷ−Ｂａｎｄ、図５（ｂ）はＨＩ−Ｂａｎｄについてのものである。
【図６】本発明のアンテナ装置を搭載した折り畳み型携帯電話機の他の例の側断面図である。
【図７】本発明のアンテナ装置を搭載した折り畳み型携帯電話機のさらに他の例の側断面図である。
【図８】従来のアンテナ装置の構成の一例を示す図である。
【図９】従来のアンテナ装置のインピーダンスの一例を示すスミス図である。
【図１０】従来のアンテナ装置における、インピーダンスの整合をとった後のスミス図である。
【符号の説明】
【００４１】
１    アンテナ装置
２    ＬＯＷ−Ｂａｎｄ用アンテナエレメント
２ａ、３ａ    開放側
２ｂ、３ｂ    根元部
３    ＨＩ−Ｂａｎｄ用アンテナエレメント
４ａ    ＨＩ−Ｂａｎｄ用給電点
４ｂ    ＬＯＷ−Ｂａｎｄ用給電点
５    上部筐体
６    下部筐体
７    ヒンジ部
８    上下基板接続部
９    上部プリント基板
１０    表示部
１１    下部プリント基板
１２    電池
１３    アンテナ給電端子
２０    アンテナ基板
２０ａ、２０ｂ    側部
２１ａ、２１ｂ    アンテナ整合回路
２１ａ、２１ｂ、２１ｃ、２１ｄ    角部
【図１】
2008167098.tif 000003
【図２】
2008167098.tif 000004
【図３】
2008167098.tif 000005
【図４】
2008167098.tif 000006
【図５】
2008167098.tif 000007
【図６】
2008167098.tif 000008
【図７】
2008167098.tif 000009
【図８】
2008167098.tif 000010
【図９】
2008167098.tif 000011
【図１０】
2008167098.tif 000012